(57)【要約】      （修正有）【課題】ノートブックと筆記具等の文具を一体的に収納し、かつ、適当な机がない場所でもノートブックへの記入を容易に行えるとともに、それ自体が使用者の共有物として愛着が深まる存在感を有する文具ケースを提供する。【解決手段】２つの同形同大の方形板状箱体をブック状に折畳み可能、かつ展開時には両箱体の上面が面一となるように接続して成る文具ケース１であって、一方の箱体１０の側面にはノートブックＮを、他方の箱体１１の側面には筆記具Ｐ等を収容可能な抽斗部１３、１４をそれぞれ設けた。【選択図】図６
0003211450.tif 000002
【実用新案登録請求の範囲】
【請求項１】
ノートブックや筆記具等の文具を収容可能な文具ケースであって、複数の箱体を折畳み可能に接続して成り、前記箱体の少なくとも一つには側面に抽斗部を設けたことを特徴とする文具ケース。
【請求項２】
２つの同形同大の方形板状箱体をブック状に折畳み可能、かつ展開時には両箱体の上面が面一となるように接続して成る文具ケースであって、一方の箱体の側面にはノートブックを、他方の箱体の側面には筆記具等を収容可能な抽斗部をそれぞれ設けたことを特徴とする文具ケース。
【考案の詳細な説明】
【技術分野】
【０００１】
本考案は、ノートブックや筆記具を収納可能な筆記作業用の天板としても使用可能な折り畳み式文具ケースに関する。
【背景技術】
【０００２】
少子高齢化、核家族化の進展、女性の社会進出、個人主義の定着、格差の拡大等の社会環境変化を背景に我が国における家族の在り方も変容が進み、近年では家族間のコミュニケーションの希薄化が社会問題化している。また、近年のスマートフォンや電子メール、ＳＮＳ等のデジタルコミュニケーションの普及は、個人間の情報の交流や共有の利便性を飛躍的に向上させた半面、児童や青少年の対人コミュニケーション能力の偏りや低下の要因の一つとなっているとの指摘もある。日常において家族が共に過ごす時間が減少傾向にある中、親子や夫婦、あるいは多世代間に亘る家族の親密で血の通ったコミュニケーションの維持が必ずしも容易でない時代を迎えているともいえる。
【０００３】
対面での会話が時間的・物理的に困難な場合、電話や手紙のやりとりのほかに、かつては交換日記という文化が存在した。交換日記は、即時性や情報量、利便性においてはデジタルコミュニケーションに比すべくもなく劣るものの、一対一あるいは少人数の当事者が互いの信頼関係に基づいて物理的な紙媒体を共有し、手書きの文字や絵を相手のためだけに手間を掛けて綴り、やりとりするプロセスは、デジタルコミュニケーションにはない温かみがあり、親密な人間関係の絆を醸成するものであった。今やかつてのような男女間の交換日記は電子メールやＳＮＳに取って代わられて廃れたものの、携帯電話の普及前は、共働き家庭の留守がちな親と鍵っ子とがノートやホワイトボードを共有してコミュニケーションを図ることは行われていたし、保育園の保育士と母親が連絡ノートで日々の子育て情報を共有することは現在も行われており、これらは一種の交換日記といえるものである。
【０００４】
日記帳であろうと一般的なノートであろうと、人間同士が物理的な媒体手段を共有し、相手の手書き文字に直接触れつつコミュニケーションを図ることには、デジタルコミュニケーションでは代え難いパーソナル性と人間関係の絆を育む効果があることには間違いがないと思われる。これを踏まえ、本願出願人は、日常生活においてデジタルコミュニケーションによる利便性を享受しつつも、その対極に位置するアナログの極致たる交換日記、広くは手書き文字媒体手段の共有によるコミュニケーションの復権を図ることが、特に家族間（親子間や祖父母と孫等の世代間）あるいは地域コミュニティの構成員間といった人間関係の絆の醸成・強化に大いに資するものと考えるに至った。
【０００５】
かかる手書き文字媒体手段は、基本的には一般的なノートブックでも良いのであるが、場所や時間を問わず書き込めるようノートと筆記具とをオールインワンで携帯可能なこと、適当な机がない場所でも書き込みが可能なこと、長期間の利用に耐える堅牢さを有すること、さらに、使用者間で共有して日々創り上げていくパーソナルなものであることを踏まえ、使用者が自らのオリジナリティを付加できること、といった要素を有することが望ましい。
【０００６】
ところで、ノートブックや筆記具等の文具を一体的に保管あるいは携帯できるような文具ケースは特許文献１乃至３に示されるようにこれまでにも様々なものが提案されている。たとえば、特許文献１に記載の「ホワイトボードを装備したファイル」は、ホワイトボードのシートとクリアファイル、筆記具等の収納ケースを折畳み可能に連接させており、多用な用途に利用できる携帯可能な文具ケースを実現している。また、特許文献２に記載の「ノート及び類似物のカスタマイズ用文具」は、ノートや手帳、アルバム、スクラップブック、封筒、ファイルなどに事後的にカレンダー等のページを付加できるため、目的に応じて様々な構成が可能である。さらに、特許文献３に記載の「携帯用日記帳」は、折畳み可能な台板にルーズリーフ用紙や筆記具が着脱できる。
【特許文献１】特開２００４−２９９４１２号公報
【特許文献２】実用新案登録第３１７０８１６号公報
【特許文献３】公開実用新案平１−１５３２６１号公報
【０００７】
これらの先行技術は、みな紙媒体と筆記具を一体的に携帯可能とするものであるが、いずれも単独の使用者が、机の上で使用することを前提としており、また、外観デザインのカスタマイズによるオリジナリティ付与については特段考慮されたものではない。家庭等で交換日記として使用することを前提とした場合、単なる文具セット、文具ケースとしての機能性、携帯性、多用途性よりも、住宅内における物品としての存在感が高く、使用する都度愛着が深まるような形状、形態のものがより望ましいといえる。
【考案の開示】
【考案が解決しようとする課題】
【０００８】
本考案に係る文具ケースは、前記の点を鑑みて創作されたものであって、主として家族やコミュニティ構成員間の交換日記や連絡ノートによるコミュニケーションを継続するために、ノートブックと筆記具等の文具を一体的に収納し、かつ、適当な机がない場所でもノートブックへの記入を容易に行えるとともに、それ自体が使用者の共有物として愛着が深まる存在感を有する文具ケースを提供することを課題とする。
【課題を解決するための手段】
【０００９】
上記の課題を解決するために、請求項１に記載した考案は、ノートブックや筆記具等の文具を収容可能な文具ケースであって、複数の箱体を折畳み可能に接続して成り、前記箱体の少なくとも一つには側面に抽斗部を設けたことを特徴とする。
【００１０】
また、請求項２に記載した考案は、２つの同形同大の方形板状箱体をブック状に折畳み可能、かつ展開時には両箱体の上面が面一となるように接続して成る文具ケースであって、一方の箱体の側面にはノートブックを、他方の箱体の側面には筆記具等を収容可能な抽斗部をそれぞれ設けたことを特徴とする。
【考案の効果】
【００１１】
本願考案に係る文具ケースは、硬質の箱体を折畳み可能に接続して成るため、使用しない時は折り畳んで書籍のように本棚等に収納可能であり、一方、使用時には展開し、展開面を筆記用の天板としてノートブック等を拡げることで場所を選ばず安定的に筆記作業が行える。また、ノートブックや筆記具等を抽斗部に収容できるため、ノートブックの紛失や汚損を防ぐことができ、筆記具等が散逸することもない。たとえば、子供がノートブックを使用する場合、机やテーブル上のほか、床に座って膝の上でノートブックを拡げることもできるし、床の上に寝そべって筆記することもできる。
【００１２】
また、文具ケースの外側面にあらかじめ印刷等によりデザインを施すことで折り畳んだ状態においてインテリアとしての魅力を発揮させることができる。その点において、本考案に係る文具ケースは、単なる消耗品の収納具というより、古来の「文箱」に通ずる個人的な愛着の対象となり得るものといえる。また、別途用意したデザインシールを使用者がデザインに重ねて貼り付けていけば、オリジナリティを付加することもできる。特にノートブックを交換日記として使用する場合に、複数の使用者が交代で日記を書き溜めていくことに加え、交互にシールを貼り付けていくことで文具ケース自体を漸次装飾していくことができる。かかる共同作業を通じ、相互のコミュニケーションの一層の深化を図ることができるという効果も期待できる。
【考案を実施するための最良の形態】
【００１３】
以下、本考案の実施形態について図を用いて説明する。図１は、本考案に係る文具ケース１の折畳み時の外観を示す斜視図であり、図２は、展開時に展開面上にノートブックＮを開いて筆記作業を行う使用時の外観を示す斜視図である。図３は、展開時と折畳み時の文具ケース１を下方から見た側面図であり、図４は、折畳み時の平面図及び右側面図、図５は、展開時の平面図及び右側面図である。
【００１４】
文具ケース１は、展開時における左側箱体１０と右側箱体１１が、両箱体の上面全面を覆う形に貼り付けた天板１２により一体的に接続され、天板１２がその中心線１２aで折れ曲がることにより開閉可能としている。両箱体１０、１１は、内部にノートブックＮが収容できる大きさであり、厚みも含めて同形同大の方形板状とし、展開時に天板１２が開かれることで面一な作業台となる。両箱体１０、１１及び天板１２の素材は特に限定されないが、軽量かつ天板１２上での筆記作業の荷重に耐え得る強度を有するものとし、表面を化粧紙で表面を覆った厚紙の貼り合わせ加工により構成することが好適である。また、左側箱体１０の左端部と右側箱体１２の右端部の各上面直下に一対のマグネット（図示せず）を設けており、該マグネットの吸着力により折畳み時の両箱体が不用意に展開することを防ぐことができる。
【００１５】
左側箱体１０には下方に向けて引き出せる抽斗部１３を、右側箱体１１には右方に向けて引き出せる抽斗部１４をそれぞれ設けている。かかる抽斗部の開口方向は右利きの使用者の利便性を考慮したものであり、左利きの使用者用に反転させてもよいし、任意の他の方向に向けて開口するよう設けてもよい。本実施形態では、図６に示すように、抽斗部１３は左側箱体１０内の全部を占め、ノートブックの収納空間１６を設けている。一方、抽斗部１４は右側箱体１１の半分乃至３分の２程度を占め、その内部には仕切りを設けて筆記具Ｐの収納空間１７とシールＳの収納空間１８を設けている。なお、両抽斗部１３、１４には引き出しの利便のために引手１５を設けている。さらに、各抽斗部の最奥部側面とこれに対応する箱体内側面にも一対のマグネット（図示せず）を設けており、該マグネットの吸着力により抽斗部が不要意に飛び出すことを防いでいる。
【００１６】
また、折畳み時の文具ケース１の外側面となる両箱体１０、１１の底面及び接合部向きの側面にデザインを施し、別途用意したシールＳを貼り付けてデザイン図案を装飾することで、文具ケース１の外観に使用者ごとのオリジナリティを表現することができる。図７はその一例であり、当初の草原と樹木の図柄のみの外側面デザイン図案（１）に、ノートブックＮへの交換日記の使用者がその都度交代で、順次花模様のシールを貼り付けていくことで（２〜４）文具ケース１の外観を変化させていくことができる。交換日記の記入に加えてかかる共同作業を通じ、使用者相互のコミュニケーションがより一層深化することが期待できる。
【００１７】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００１８】
本考案に係る文具ケースは、合成樹脂製や金属製とすることもできるが、軽量かつ温かみを感じさせる日用品として、紙製品とすることが好適である。情報交流のデジタル化が高度に進んだ現代社会において、手書き文によるアナログなコミュニケーションの価値への気づきを促し、人と人との絆を強めることの一助となり得る製品として、産業上の利用可能性を有するものである。
【図面の簡単な説明】
【００１９】
【図１】文具ケース１の折畳み時の外観を示す斜視図
【図２】文具ケースの展開時に展開面上にノートブックＮを開いて筆記作業を行う使用時の外観を示す斜視図
【図３】展開時と折畳み時の文具ケース１を下方から見た側面図
【図４】折畳み時の文具ケース１の平面図及び右側面図
【図５】展開時の文具ケース１の平面図及び右側面図
【図６】文具ケース１の構造及び収納物を示す斜視図
【図７】文具ケース１の外側面のデザインの一例及びシールの貼付状態を示す遷移図
【符号の説明】
【００２０】
Ｎ          ノートブック
Ｐ          筆記具
Ｓ          シール
１               文具ケース
１０        左側箱体
１１        右側箱体
１２        天板
１３、１４  抽斗部
１５        引手
１６〜１８  収納空間
【図１】
0003211450.tif 000003
【図２】
0003211450.tif 000004
【図３】
0003211450.tif 000005
【図４】
0003211450.tif 000006
【図５】
0003211450.tif 000007
【図６】
0003211450.tif 000008
【図７】
0003211450.tif 000009